(57)【要約】【課題】用紙サイズを変更する際に、操作性よく、各用紙ガイドを所望の規定位置に設置することができる構成が簡易な用紙ガイド機構を提供する。【解決手段】用紙セット位置にセットされた用紙Ｐの端部位置を規定するための規定部材１１，…を、前記用紙セット位置における用紙セット面Ｆより下方の収納位置Ｓと、用紙セット面Ｆよりも上方に突出した突出位置Ｔと、の間を移動自在に構成し、かつ、規定部材１１，…を、収納位置Ｓにロック状態に係止するための係止部材１５を設けると共に、係止部材１５には、前記ロック状態を解除するための操作部１５ａを設ける。【選択図】  図６
2005001835.tif 000002
【特許請求の範囲】
【請求項１】
用紙セット位置にセットされた用紙の端部位置を規定するための規定部材を、前記用紙セット位置における用紙セット面より下方の収納位置と、前記用紙セット面よりも上方に突出した突出位置と、の間で移動自在に構成し、
前記規定部材を前記収納位置から前記突出位置に向けて付勢する弾発部材を設ける一方、前記規定部材を、前記収納位置にロック状態に係止するための係止部材を設け、かつ、前記係止部材には、前記ロック状態を解除するための操作部を設けたことを特徴とする用紙ガイド機構。
【請求項２】
前記規定部材が、用紙の幅方向の位置を規定することを特徴とする請求項１に記載の用紙ガイド機構。
【請求項３】
前記規定部材が、用紙の長手方向の位置を規定することを特徴とする請求項１に記載の用紙ガイド機構。
【発明の詳細な説明】
【０００１】
【発明の属する技術分野】
本発明は、各種複写機やファクシミリ装置等の画像形成装置に設けられる用紙ガイド機構に関する。
【０００２】
【従来の技術】
画像形成装置等に設けられる用紙給紙部には、従来から、用紙搬送時の斜め送りを防止するために、用紙の設置位置を規定するための用紙ガイドが設けられている。このような用紙ガイドは、用紙の幅方向の位置を規定するための用紙幅ガイドと、用紙の後端位置を規定するための用紙後端ガイドと、で構成され、それぞれ、その設定位置を使用する用紙サイズに合わせて変更自在となるように設けた移動式のものが多い。
【０００３】
このような移動式の場合、例えば、図１（ａ）に示すように、当初、用紙幅ガイド１，２と用紙後端ガイド３がレターサイズに設定されている状態から、図１（ｂ）に示すようなＡ４サイズに設定変更する際には、まず、左右の用紙幅ガイド１，２と用紙後端ガイド３を固定しているビス１ｂ，２ｂ，３ｂを取外して、用紙幅ガイド１，２と用紙後端ガイド３を手で持って、Ａ４サイズの位置に移動させた後、これらを、再び、ビス１ｂ，２ｂ，３ｂで固定するようにしていた。
【０００４】
また、移動式の他に、用紙サイズに合わせて複数の用紙幅ガイドを所定位置に設定し、その中、内側に配設される小サイズ用の用紙幅ガイドを、通紙部上に突出させたアクチュエータと連動させて上下可動に構成し、大サイズの用紙を通過させる際には、用紙に接触したアクチュエータの降下動作に連動して小サイズ用の用紙幅ガイドを通紙部下部に降下させるようにしたペーパーガイド機構も提案されている（例えば、特許文献１参照）。
【０００５】
【特許文献１】
特開２００２−１９３４８０号公報（図１，図２、段落「００４０」〜「
００５２」）
【０００６】
【発明が解決しようとする課題】
前記移動式の従来例の構成では、ビス１ｂ，…を取外したり、締め付けたりする際に、用紙幅ガイド１，２や用紙後端ガイド３が邪魔になり、また、ドライバー等の工具を必要とし、その作業性はよくなかった。また、そのガイド部材１，２，３を移動させるための作業も面倒であった。
【０００７】
また、特許文献１に記載のペーパーガイド機構では、小サイズ用の用紙幅ガイドを、リンク機構を介して、アクチュエータと連動させているために、その構成が大変複雑で、部品点数も多くなり、コスト高になるという問題があった。
【０００８】
本発明は、このような実情に鑑みてなされ、用紙サイズを変更する際に、操作性よく、各用紙ガイドを所望の規定位置に設置することができる構成が簡易な用紙ガイド機構を提供することを目的とする。
【０００９】
【課題を解決するための手段】
本発明は、上述の課題を解決するための手段を、以下のように構成している。
【００１０】
（１）用紙セット位置にセットされた用紙の端部位置を規定するための規定部材を、前記用紙セット位置における用紙セット面より下方の収納位置と、前記用紙セット面よりも上方に突出した突出位置と、の間で移動自在に構成し、
前記規定部材を前記収納位置から前記突出位置に向けて付勢する弾発部材を設ける一方、前記規定部材を、前記収納位置にロック状態に係止するための係止部材を設け、かつ、前記係止部材には、前記ロック状態を解除するための操作部を設けたことを特徴とする。
【００１１】
この構成においては、操作部を操作することで、係止部材によって収納位置にロック状態に係止されている規定部材のロック状態を解除して、弾発部材によって、突出位置に突出させることができる。
【００１２】
従って、サイズの異なる複数組の規定部材を、所定の位置に設定し、使用する用紙のサイズに適合する規定部材のみを、突出位置に突出させて、使用することができる。そのとき、他の規定部材は、収納位置に収納されているため、何ら障害になることはない。
【００１３】
（２）前記規定部材が、用紙の幅方向の位置を規定することを特徴とする。
【００１４】
この構成においては、規定部材により、用紙の幅方向の位置を規定することができる。
【００１５】
（３）前記規定部材が、用紙の長手方向の位置を規定することを特徴とする。
【００１６】
この構成においては、規定部材により、用紙の長手方向の位置を規定することができる。
【００１７】
【発明の実施の形態】
以下に、本発明の実施形態に係る用紙ガイド機構について図面を参照しつつ詳細に説明する。
【００１８】
図２（ａ），（ｂ）は、ファクシミリ装置Ｆの用紙給紙部１０の要部平面図を示す。また、図３（ａ），（ｂ）は、用紙給紙部１０が設けられているファクシミリ装置Ｆの部位を示す。これらの図に示すように、用紙給紙部１０は、ファクシミリ装置Ｆの手前側（操作者が立つ側）の下部一端側に設けられている。
【００１９】
そして、この用紙給紙部１０は、レターサイズ用の規定部材１１，１１，１３と、Ａ４サイズ用の規定部材１２，１２，１４を備えている。なお、規定部材１１，１２は、それぞれ用紙セット位置にセットされた用紙の幅方向の端面に当接してその位置を規定し、規定部材１３，１４は、用紙の後端面に当接して、その位置を規定する。
【００２０】
これらの規定部材１１，１１，１２，１２，１３，１４は、いずれも、用紙セット位置における用紙セット面Ｆより下方の収納位置Ｓと、前記用紙セット面Ｆよりも上方に突出した突出位置Ｔと、の間で移動自在になるように構成され、例えば、図２（ａ）に示すように、レターサイズの用紙を収納するときには、３つの規定部材１１，１１，１３がそれぞれ突出位置Ｔに突出して、規定部材１１，１１間で所定のレター幅が規定され、また、規定部材１３によって、用紙の後端位置が規定される。このとき、他の規定部材１２，１２，１４は、いずれも、下方の収納位置Ｓに収納された状態となっている。従って、この状態で、レターサイズの用紙を所定の位置に収納することができる。
【００２１】
一方、Ａ４サイズの用紙を収納するときには、例えば、図２（ｂ）に示すように、３つの規定部材１２，１２，１４がそれぞれ突出位置Ｔに突出して、規定部材１２，１２間で所定のレター幅が規定され、また、規定部材１４によって、用紙の後端位置が規定される。このとき、他の規定部材１１，１１，１３は、いずれも、下方の収納位置Ｓに収納されている。従って、この状態で、Ａ４サイズの用紙を所定の位置に収納することができる。
より詳しく説明すると、規定部材１１，…は、非使用時には、例えば、図６に示すように、用紙セット面Ｆが形成される用紙給紙部１０の上板１０１と下板１０２との間の収納位置Ｓに収納され、かつ、その位置で係止部材１５によってロックされている。その係止部材１５は、支持ボルト１６によって規定部材１１の上部に、回動自在となるように支持されており、かつ、スプリング１７によって、図示時計まわりに付勢され、その先端部が、用紙給紙部１０の上板１０１の折曲端１０１ａに対して当接状態で係止することにより、規定部材１１の上方への移動を規制し、規定部材１１を収納位置Ｓにロックしている。
【００２２】
一方、規定部材１１に設けた仕切り板１１ｃの下板１０２との間には、別のスプリング（本発明の弾発部材）１８が介装され、規定部材１１が上方の突出位置Ｔに向けて付勢されている。従って、規定部材１１を収納位置Ｓにおいて安定なロック状態に保持するためには、上述の係止部材１５を付勢するスプリング１７には、規定部材１１を付勢するスプリング１８よりも、大きな付勢力が必要とされる。また、規定部材１１の下端は外方に折曲されて掛止部１１ａ，１１ｂが形成され、スプリング１８の付勢力で規定部材１１が上方に押し上げられたときには、その掛止部１１ａ，１１ｂが、それぞれ、上板１０１に形成した折曲端１０１ａ，１０１ｂに当接して、規定部材１１が突出位置Ｔで掛止されるようになっている。
【００２３】
そして、係止部材１５の上部には、その係止状態を解除するための操作部１５ａを設け、操作者が上方から指先でその操作部１５ａを押し下げると、規定部材１１のロック状態が解除されて、上方に突出するようになっている。すなわち、規定部材１１が収納位置Ｓに収納されているときには、図７（ａ）に示すように、規定部材１１の上面は、用紙セット面Ｆが形成される用紙給紙部１０の上板１０１と面一状になってロックされている。
【００２４】
この状態から、その操作部１５ａが押し下げられると、図７（ｂ）に示すように、係止部材１５は、スプリング１７の付勢力に抗して反時計まわりに回動し、用紙給紙部１０の上板１０１の折曲端１０１ａに対する当接状態が解除され、規定部材１１は、スプリング１８の付勢力で、上方に突出移動し、図７（ｃ）に示すように、突出位置Ｔに突出した状態となり、その位置で、用紙Ｐの端部の位置を規定することができる。
【００２５】
このような構成は、他の規定部材１２，１３，１４についても同様であり、上方からのワンタッチ動作で、規定部材１１，…のロック状態を操作性よく解除することができる。他方、上方の突出位置Ｔにある規定部材１１，…を収納位置Ｓに収納するためには、図示は省略するが、規定部材１１，…の上部を指先で押し下げれば、係止部材１５の先端部が、上板１０１の肩部に当接して一旦時計回り回動した後、上板１０１の端部１０１ａに係止し、自動的に、図７（ａ）に示すようなロック状態に復帰する。
【００２６】
このように、規定部材１１，…は、非使用時には、収納位置Ｓにロック状態に保持され、使用時には、突出位置Ｔに突出した状態に保持されるので、それぞれ、図２（ａ），（ｂ）に示すように、３つの規定部材１１，１１，１３および１２，１２，１４を用いることにより、レターサイズとＡ４サイズの２つのサイズについて、その用紙幅方向と用紙後端位置をそれぞれ規定することができる。具体的に説明すると、レターサイズの場合、当初、図４（ａ）に示す収納位置Ｓにある用紙幅の規定部材１１，１１，１２，１２の中、外側の規定部材１１，１１を、図４（ｂ）に示すように、突出位置Ｔに突出させ、次いで、図４（ｃ）に示す収納位置Ｓにある後端位置の規定部材１３，１４の中、前側の規定部材１３のみを突出位置Ｔに突出させればよい。また、Ａ４サイズの場合には、図４（ａ）、図４（ｂ）に示すように、内側の規定部材１２，１２と、後側の規定部材１４を、それぞれ突出位置Ｔに突出させればよい。
【００２７】
なお、実施形態では、レターサイズとＡ４サイズの２つのサイズについて説明しているが、本発明は、これに限定されることなく、必要に応じて、その他のサイズにも適宜適用できるのは言うまでもない。
【００２８】
【発明の効果】
以上の説明から明らかなように、本発明は、以下の効果を奏する。
【００２９】
（１）規定部材を、用紙セット面より下方の収納位置と、その用紙セット面よりも上方に突出した突出位置と、の間を移動自在に構成し、かつ、前記規定部材を、収納位置から突出位置に向けて突出させる弾発部材を設ける一方、収納位置にロック状態に係止するための係止部材を設けると共に、その係止部材には、ロック状態を解除するための操作部を設けるので、操作部を操作することで、係止部材によって収納位置にロック状態に係止されている規定部材のロック状態を解除して、弾発部材の付勢力で突出位置に突出させることができる。
【００３０】
従って、サイズの異なる複数組の規定部材を、所定の位置に設定し、使用する用紙のサイズに適合する規定部材のみを、突出位置に突出させて、使用することができる。そのとき、他の規定部材は、収納位置に収納されているため、何ら障害になることはない。
【００３１】
（２）規定部材により、用紙の幅方向の位置を規定することができる。
【００３２】
（３）規定部材により、用紙の長手方向の位置を規定することができる。
【図面の簡単な説明】
【図１】従来の用紙ガイド機構における用紙給紙部の平面図である。
【図２】本発明の実施形態に係る用紙ガイド機構の用紙給紙部の平面図である。
【図３】同用紙ガイド機構を具備したファクシミリ装置の平面図と要部断面図である。
【図４】同レターサイズの場合の規定部材の動作説明図である。
【図５】同Ａ４サイズの場合の規定部材の動作説明図である。
【図６】同規定部材の構成説明図である。
【図７】同規定部材の動作説明図である。
【符号の説明】
１１、１２、１３、１４−規定部材
１５−係止部材
１５ａ−操作部
１８−弾発部材
Ｐ−用紙
Ｆ−用紙セット面
Ｓ−収納位置
Ｔ−突出位置
【図１】
2005001835.tif 000003
【図２】
2005001835.tif 000004
【図３】
2005001835.tif 000005
【図４】
2005001835.tif 000006
【図５】
2005001835.tif 000007
【図６】
2005001835.tif 000008
【図７】
2005001835.tif 000009